(57)【特許請求の範囲】
【請求項１】
訓練装置であって、
支持体と、ハングボードと、前記支持体と前記ハングボードとの間にバネまたは弾性部品のうち少なくとも一つと、電子インターフェースと、を備え、
前記支持体は、突出フランジを備え、壁または取り外せないように固定されている構造物のいずれかに備え付けられるように構成されており、
前記ハングボードは複数のグリップを備え、前記グリップはそれぞれ異なった形状を有し、かつ突起部または凹部のいずれかであり、また、アスリートが前記グリップを腕を伸ばした状態で握ることで、地面または床のいずれにも触れずにアスリートが身体をぶら下がらせることができ、前記ハングボードは前記支持体内で垂直な動きが可能であり、前記突出フランジは前記ハングボードの下端止めとして働き、
前記バネまたは弾性部品が前記ハングボードを上方に押圧または引っ張るように構成され、
前記電子インターフェースは、前記ハングボードの位置を取得するように構成され、機械、電気、油圧および空気圧のうちの少なくとも一つによって接続されることを特徴とする訓練装置。
【請求項２】
請求項１に記載の訓練装置であって、前記電子インターフェースがスマートフォンであり、前記スマートフォンが、運動および休憩の個別の段階の継続時間を記録し、かつ前記スマートフォンが、搭載データ記憶部ならびに取得され処理されたデータの表示部を有し、プログラム可能であることを特徴とする訓練装置。
【請求項３】
請求項１に記載の訓練装置であって、前記電子インターフェースがスマートフォンであり、前記ハングボードの垂直な動きの前記スマートフォンへの伝達は、少なくとも一つのレバーによって機械的に行われ、前記少なくとも一つのレバーは支持体に旋回可能に取り付けられて支持され、前記少なくとも一つのレバーの自由端が前記ハングボードと連結することを特徴とする訓練装置。
【請求項４】
請求項１に記載の訓練装置であって、前記電子インターフェースがスマートフォンであり、前記ハングボードの垂直な動きの前記スマートフォンへの伝達は柔軟性ケーブルによって行われ、前記柔軟性ケーブルは、一端が前記ハングボードに、他の一端が、前記スマートフォンに取り付けられており、前記スマートフォンが前記支持体または前記壁のいずれかに旋回可能に取り付けされていることを特徴とする訓練装置。
【請求項５】
請求項１に記載の訓練装置であって、前記電子インターフェースがスマートフォンであり、前記ハングボードの垂直な動きの前記スマートフォンへの伝達が、チューブ内の流体を介して行われることを特徴とする訓練装置。
【請求項６】
請求項１に記載の訓練装置であって、前記電子インターフェースがスマートフォンであり、前記ハングボードの垂直な動きは、導体、無線通信あるいは光インパルスのいずれかを介して前記スマートフォンに接続されている電気接点または圧力センサのうちの少なくとも一つによって記録されることを特徴とする訓練装置。
【請求項７】
請求項１に記載の訓練装置であって、前記ハングボードは取り外しおよび交換できることを特徴とする訓練装置。
【請求項８】
請求項１に記載の訓練装置であって、前記支持体は、固定器具によって前記壁に任意の間隔をもって取り付けられ、前記固定器具は、水平固定器具であり、調節可能であることを特徴とする訓練装置。
【請求項９】
請求項１に記載の訓練装置であって、前記支持体は、一体成形または伸張する固定器具のうち少なくとも一つによって天井部に取り付けられ、前記ハングボードは前記一体成形固定器具または前記伸張固定器具の下部に取り外せないように備え付けられ、
前記ハングボードが前記伸張固定器具の下部に備え付けられた場合には、圧縮バネが前記伸張固定器具の間に取り付けられ、電子インターフェースを支持するプレートが、前記伸張固定器具の一方に旋回取り付けされ、レバー、歯付きロッド、またはプルケーブルのうち少なくとも一つにより動くことを特徴とする訓練装置。
【請求項１０】
訓練装置であって、
支持プレートと、ハングボードと、前記支持プレートと前記壁または前記取り外せないように固定されている構造物のいずれかとの間にバネまたは弾性部品のうち少なくとも一つと、電子インターフェースと、を備え、
前記支持プレートは、壁または取り外せないように固定されている構造物のいずれかにヒンジで旋回取り付けされるように構成されており、
前記ハングボードは複数のグリップを備え、前記グリップは、それぞれ異なった形状を有し、かつ突起部または凹部のいずれかであり、前記ハングボードが垂直な動きが可能であり、
前記電子インターフェースは、前記ハングボードと接続し、前記ハングボードの位置を取得するように構成され、前記ハングボードおよび前記電子インターフェースが前記支持プレートに固定されることを特徴とする訓練装置。
【請求項１１】
訓練装置であって、
支持体と、ハングボードと、前記支持体と前記ハングボードとの間に弾性部品と、を備え、
前記支持体は、壁に備え付けられるように構成されており、下部に端止めを備え、
前記ハングボードは、前記支持体によって支持され、前記支持体に沿って垂直な動きが可能であり、かつ前記ハングボードはグリップを備え、前記グリップは、それぞれ異なった形状を有し、かつ突起部または凹部のいずれかであり、
前記弾性部品が前記ハングボードを上方に付勢することを特徴とする訓練装置。
【発明の詳細な説明】
【技術分野】
【０００１】
本発明は、クライミングスポーツに特化され、上半身の強化を目的とする体系立てられたエクササイズ運動用の体育用具に関連する。
【背景技術】
【０００２】
米国特許出願公開第２０１１／０２４５０４０号明細書および欧州特許出願公開第０４２４５６９号明細書は、好適として出入り口の鴨居部分に取り付けることが可能な「ハングボード」またはグリッピング装置について記載している。これらの装置は、「ハングボード」または「トレーニングボード」という名のもと、ロッククライミングのための運動能力を高める目的で、上肢の特に腕、肩および個々の指の筋複合体を強化するために、家でも公知の人工構造物が備えられているクライミングガーデンでも実施可能な、予行練習を可能にするものである。これらの装置は、通常、壁や固定されている構造物または取り外せないようにしっかりと固定されているフレームに取り外せないように取り付けられている。アスリートが機器のグリップを堅固に握っているとき、特にグリップを換える際に、アスリートの身体の顕著な揺動を邪魔しないように、グリップは、出入り口の鴨居部分の、腕を高く上げた状態で、および／またはわずかにジャンプすると届く高さに適宜、取り付けられている。
【０００３】
運動中のアスリートは、一定時間、装置の特徴であるグリップを握る。これらのグリップは突起部または凹部から構成されることができ、顕著に相違するデザインおよびテクスチャとなり得る。これらは取り外せないよう、または容易に交換できるような方法で備え付けることができる。アスリートは、装置を堅固に握って、単に握る運動、懸垂、および／またはグリップを持ち換える練習を行うことができる。
【０００４】
アスリートが自身を奮起させるこれらの練習段階は、アスリートが地面に足を付けて立つことが可能な時間である休憩段階で中断することができる。
【０００５】
仏国特許発明第２５９９６３３号明細書は、壁に取り付けられている固定器具に挿入できる異なるハングボードを記載している。
【０００６】
国際公開第９５／１９６０２号は、アスリートによって使用されると、対応する照明を点灯させ、および／またはアスリートがルートを通って登るまで、および／または特定の場所に到達するまでに必要な時間、すなわち、アスリートの身体能力を、接続したコンピュータに記憶および表示する電気接点を特徴とした異なるグリップを備えたクライミングウォールを開示している。
【０００７】
独国特許発明第１０２００６０２９３０９号明細書は、聴覚的なまたは視覚的なアラームを作動させ、および／または目的物のある開口部、窪みまたはプラットフォームへのアクセスを開放する電気信号を、直ちにまたは遅れて、発生させるセンサおよび／またはアクチュエータを備えたクライミングウォールを記載している。
【発明の概要】
【発明が解決しようとする課題】
【０００８】
公知の装置には、アスリートが無理をし過ぎることによって、靱帯および／または筋肉を痛める危険性があるというデメリットがある。そのような無理およびけがを防ぐために、アスリートの身体状態、体重および能力レベルに合致するように調整された運動プログラムを課すコーチによりアスリートはサポートされなくてはならない。運動プログラムを最適化するためには、運動および休憩段階の継続時間が記録でき、アスリートの状態に応じて、制限および／または適切な運動サイクルをはさめるよう、アスリートは管理されなくてはならない。
【０００９】
本発明は、アスリートが、コーチまたはアシスタントを必要とせず、過度に運動することを防ぐため、および無理によるおよび／または長時間すぎる運動段階による筋肉損傷を回避するために適切な、上述の性質の訓練装置を提供することを目的とする。
【課題を解決するための手段】
【００１０】
本目的を達成するため、本発明は、「ハングボード」、「トレーニングボード」または人工のクライミングウォールとして知られている、公知のグリップ（交換可能）を備え、固定されている楕円状のハングボードを使用することを提案する。当該「ハングボード」は、例えば、出入り口の鴨居部分などの壁に取り外せないように備え付けることができる支持体に（垂直方向の遊びを持って）備え付けられる。グリップは、可動ハングボードの壁に面していない部分に配置される。ハングボード（グリップを備えている。）を垂直に持ち上げるために、装置は、可動ハングボードと固定されている支持体の間で働くバネまたは弾性部品を特徴とする。アスリートがグリップを握り、それらにぶら下がると、可動ハングボードと固定されている支持体の間のバネまたは弾性部品が、場合に応じて、圧縮または伸張し、結果的に、ハングボードは垂直方向にわずかに下がる。アスリートが地面に足をついて立ち、グリップを放すとすぐに、先の運動段階中に、それぞれ、圧縮または伸張していたバネおよび／または弾性要素によって、ハングボードは上方に向かって、垂直に押圧される、または引っ張られる。
【００１１】
本発明によれば、ハングボードと固定されている支持体の間の上述の相対的な垂直の運動の取得は、レバーまたは柔軟性ケーブルを使用し、圧力センサまたは電気接点を使用することで機械的に行え、ハングボードの下がったまたは上がった位置の回数および／または継続時間を記録可能な公知のデータ取得機器（例えば、スマートフォン）によって得ることができ、それによって、運動および休憩段階の回数および、場合によっては、個別の段階の継続時間も記録し、アスリートの運動活動に関する詳細なレポートを提供する。
【００１２】
特に、圧力センサを使用する場合は、アスリートの体重を取得することも可能で、推奨される運動レベルおよび／または徹底した安全のために、運動の最大限度に関する指示を提供することも可能である。
【００１３】
運動と休憩によって引き起こされる垂直運動を機械的に伝達する場合、装置の固定されている支持体に旋回可能に取り付けられているプレートまたはフレームに働きかける１つ以上のレバーまたはケーブルを使用できる。これらのプレートまたはフレームには、スマートフォンを備え付けることができ、傾斜の変化および、場合によっては、運動および休憩段階に対応する旋回の動きの極度の傾斜の継続時間も記録できる。
【００１４】
本発明は、可動ハングボードと固定されている支持体の間に、流体を含み、流体の圧力の変動に反応する取得機器とチューブを介して接続する圧力セルの装備を排除しない。
【００１５】
電気接点を手段として、ハングボードの２つの旋回位置を取得する場合、電気接点はパルスを電気計数器に伝え、場合によっては、運動および休憩の個別の時間の回数および継続時間を表示する目的で計時機器にも伝える。
【００１６】
グリップの配置が異なるハングボードと交換できるように、ハングボードが取り付けられることは一つの利点である。グリップは、固定位置にあるとき、可動ハングボードの長手方向の伸張によって形成されている垂直平面に対し、異なる傾斜を想定するため、個別で、または、グループで旋回可能に取り付けることができる。そのため、グリップを握る難易度を変更することができる。
【００１７】
本発明は、壁に水平固定アームを使用して、交換可能な方法でハングボードが取り付けられている支持体の装備を排除しない。この場合、要素（支持体）の両側にグリップを付けることができる。
【００１８】
さらに、天井部に取り付けるために、交換可能なハングボード用の支持体は、垂直で、場合によっては、伸縮自在に高さ調節可能な固定器具を備えることができる。この場合も、交換可能なハングボードは、両側にグリップを備えること、または２つのハングボードを同一の支持体に挿入することもできる。この設計の場合、圧縮バネが垂直固定器具の伸縮部分間に挿入され、取得機器のプレートは伸縮部分の一方に旋回取り付けされ、公知の機構（例えば、レバー、歯付きロッド、プルケーブル等）を使用して、動かすことができる。
【００１９】
本発明のさらなる発展型によれば、支持体はヒンジで壁に旋回可能に取り付けされている簡易な支持プレートで構成されることができ、壁と支持プレートの後側の間の圧縮バネによって角度をもって、押し込まれて配置されている。支持プレートに取り付けられているハングボードに力がかかった場合、圧縮バネが圧縮し、支持プレートがハングボードとともに壁に向かって動く。同時に同一の支持プレートに取り付けられている取得機器も壁に向かって傾斜するため、ハングボードに力がかけられた時間を取得することができる。
【００２０】
本発明は、最終的に添付の図面に含まれている本発明による、特にクライミングスポーツ向けの訓練装置の例示的な概略図を基に、より詳細に説明されている。この文脈において、図面は純粋に説明目的のものであり、限定を意図するものではない。
【図面の簡単な説明】
【００２１】
【図１】図１は、本発明に係る、特にクライミングスポーツ向けの訓練装置の斜視図であり、縦壁に備え付けられ、スマートフォン用の旋回プレートを備えている。
【図２】図２は、図１の垂直平断面ＩＩ−ＩＩの断面を示し、スマートフォン付きの旋回プレートの領域まで延びる。
【図３】図３は、本発明に係る、訓練装置の図２で示されているものと同一の断面を示すが、両側にグリップを備え、壁から間隙をもって取り付けるための水平固定器具を備えたハングボードを示す。
【図４】図４は、互いに後側を向かい合わせた状態で取り付けられている２つのハングボードの断面を示し、天井部に取り付けるための垂直伸張固定器具を備える。
【図５】図５は、旋回固定器具付きの壁に取り付ける支持プレートを示し、ハングボードおよび取得機器は動かせないように支持プレートに取り付けられている。
【発明を実施するための形態】
【００２２】
好適には、出入り口の鴨居部分の壁１に、曲線を描く金属部品で構成されている支持体２がダボ７を使用して固定されている。当該支持体は、壁に当接する背面接触部２ａ、側方垂直フランジ２ｂおよび前方固定フランジ２ｃで構成されている。底部側には、水平接触フランジ２ｄ、および突出グリップ８の付いた、例えば、木製のハングボード３の末端部がある。グリップ８付きの前記のハングボード３は、固定されている支持体２に対し、垂直な動き３ｖが可能なように支持体２の側方フランジ２ｂと垂直固定フランジ２ｃの間に、ある程度の遊びを持って、挿入されている。
【００２３】
支持体２の下側水平フランジ２ｄとグリップ８付きハングボード３の下側フランジの間に、圧縮バネ６または弾性要素があり、アスリートが堅固にグリップを握るとすぐに力を受けて圧縮し、ハングボード３がわずかに下がる。アスリートがグリップ８を放し、地面に足を付けて立つと、ハングボード３自体と固定されている支持体２の間にあるバネ６の伸張により、または弾性要素により、ハングボード３はすぐに、上方に向かって垂直な動き３ｖを行う。
【００２４】
ハングボード３の垂直な動き３ｖは、旋回可能に取り付けられており４ｒ、その下方水平側を支持体２の背面接触部２ａに支持４ｂされているプレート４に伝えられる。プレート４の同一下方水平側からは、レバー４ａが突設され、プレートとともに約９０°の角度を形成し、その自由端は垂直な動き３ｖが可能なハングボード３の後側の対応する位置にある水平溝３ａに連結する。スマートフォンによって構成されている取得機器５は、プレート４に備え付けられている。スマートフォンは、旋回４ｒプレート４の傾斜の変化の回数、および、所望の場合、最遠旋回位置２箇所における継続時間も記録するようにプログラムされている。任意の運動セッションの運動および休憩段階はこれによって算出できる。
【００２５】
当該発明によると、旋回プレート４に力がかけられた際に、動き３ｖは、（グリップ８の付いた動き３ｖが可能なハングボード３と固定されている支持体２の間の）ケーブルまたは流体によって、伝達されることも可能である。
【００２６】
本発明は、ハングボード３の下方および上方位置に応じた運動および休憩段階の回数、および、所望の場合、それらの継続時間を取得するための公知の取得機器に接続されているセンサ９または電気接点を動き３ｖが可能なハングボード３と固定されている支持体２の間での使用を排除しない。同一のセンサまたは特定のセンサは運動しているアスリートの体重を表示することもできる。本発明は、ハングボード３によって起動されたセンサと取得機器の間の無線接続を除外しない。
【００２７】
超えてしまうと、けが、損傷または良くない運動状態を招く境界線である状況を反映するデータの入力とともに、個人向けの運動目標をアスリートに提供するため、当然ながら、記録されたデータはすべて、アスリートが入力した個人データと併せて、同一のスマートフォン内のプログラムを使用して処理できる。
【００２８】
本発明は、圧縮バネ６の代わりに、張力バネまたは弾性張力部品を動き３ｖが可能なハングボード３と支持体２の間に使用することを排除しない。
【００２９】
加えて、本発明は、個々のグリップまたはいくつかの同一あるいは異なるグリップ８を、一つの固定器具を使用して、ハングボード３に旋回可能に取り付けすることで、動き３ｖが可能なハングボード３の締結面に対して傾斜を変えて、特徴およびグリップを握る難易度を変えることを排除しない。上述の傾斜は、装置に直接的に表示、または難易度を示す係数によって表すことができる。当該係数は、スマートフォンまたは対応する電子コンピュータの演算処理プログラムに入力されると、インストールされている運動プログラムに応じて影響を与える。
【００３０】
異なるグリップおよび／またはグリップの異なる配置を備えたハングボード３と交換できるように、ハングボード３が、単純に引き上げて、固定されている支持体２から外せば、容易に取り外すことができることは利点である。
【００３１】
ハングボードが両側にグリップ８を備えているために、所望する場合、アスリートがハングボード３の両側を握ることができるよう、水平固定器具１０ｈを装着プレート１０ａと使用して、ハングボードを壁１に対して場合によっては変更可能な距離をもって取り付けることができる（図３参照）。
【００３２】
両側にグリップ８を備えられているハングボード３または背面合わせに取り付けられている２つのハングボード３のいずれであっても、垂直伸縮固定器具１０ｖ、１０ｗを使用して天井部Ｓに取り付けることができる（図４参照）。この場合、圧縮バネ６ｖを伸縮固定器具の部位１０ｖと１０ｗの間に取り付けることができ、取得機器５のプレート４は、ヒンジ４ｍによって伸縮部１０ｖ、１０ｗの一方に旋回取り付け４ｒでき、公知の機構、例えば、レバー、歯付きロッド、またはプルケーブルによって起動できる。
【００３３】
支持体２は、壁１または取り付けアームにヒンジ１１を使用して、上側水平長手エッジに旋回取り付けされている単純な支持プレート２ｒに交換できる。これらの間には、圧縮バネ６ａがあり旋回可能に取り付け３ｒされている。この場合、ハングボード３であっても取得機器５であっても、支持プレート２ｒに直接取り付けることができる（図５参照）。
【符号の説明】
【００３４】
１  壁
２  支持体
２ａ  背面接触部
２ｂ  側方垂直フランジ
２ｃ  前方固定フランジ
２ｄ  水平接触フランジ
３  ハングボード
３ｖ  垂直な動き
４  プレート
４ｒ  旋回取り付け
５  取得機器
６  圧縮バネ
７  ダボ
８  突出グリップ
９  センサ
【図１】
0006470276.tif 000002
【図２】
0006470276.tif 000003
【図３】
0006470276.tif 000004
【図４】
0006470276.tif 000005
【図５】
0006470276.tif 000006